(57)【要約】【課題】被洗浄面に、さまざまな種類の汚れが付着しているときであっても、細かな汚れにたいする高い洗浄力を有し、ブラシ片に付着した汚れや洗浄水の、ブラシ片からの剥離性が劣化することなく、迅速かつ的確に被洗浄面の汚れを取ることができる洗浄ブラシを提供する。【解決手段】回転軸の外周部に複数のブラシ片が形成されてある自動車用あるいは路面用洗浄ブラシにおいて、前記ブラシ片の材質は、天然樹脂発泡体、合成樹脂発泡体、天然ゴム、合成ゴム、ゲル材、フィルム材、メッシュ材、あるいはボア材より形成されてあると共に、前記ブラシ片は、複数の貫通穴が形成されてあるものである。【選択図】　　　　　図３
2004113753.tif 000002
【特許請求の範囲】
【請求項１】
回転軸の外周部に複数のブラシ片が形成されてある自動車用あるいは路面用洗浄ブラシにおいて、前記ブラシ片の材質は、天然樹脂発泡体、合成樹脂発泡体、天然ゴム、合成ゴム、ゲル材、フィルム材、メッシュ材、あるいはボア材より形成されてあると共に、前記ブラシ片は、複数の貫通穴が形成されてあることを特徴とする自動車用あるいは路面用洗浄ブラシ。
【発明の詳細な説明】
【０００１】
【発明の属する技術分野】
本発明は、自動車用あるいは路面用のいずれかに使用する洗浄ブラシに関するものである。
【０００２】
【従来の技術】
従来の洗浄ブラシを、以下図１及び図２を用いて説明する。
【０００３】
従来、回転軸の外周部に複数のブラシ片が形成されてある自動車用洗浄ブラシに関しては、例えば、自動洗車ブラシとして、図１及び図２の如く、回転軸２にたいして、ブラシ片３を支持体４にて挟み付け、固定ピン８にて固定する構成において、ブラシ片３のスリット５を深浅交互に形成すると共に、各スリット５の内端に連なって円孔６を形成する技術が、実用新案登録第３０７１３２６号にて、開示されてある。
【０００４】
【発明が解決しようとする課題】
上記の従来の自動洗車ブラシにおいては、ブラシ片３の材質として、スリット５にて分割されて概角柱形状に形成できるような、例えば、合成樹脂発泡体の如くの材質が使用されてある。しかしながら、被洗浄面に、さまざまな種類の汚れが付着しているときには、前記の如くの概角柱形状の合成樹脂発泡体では、被洗浄面にたいする押し付け力が不足することにより、汚れが取りきれずに残ってしまうという事が発生していた。また、かかる場合においては、例えば、スリットにて分割されていないブラシ片を使用することにより、ブラシ片の被洗浄面にたいする押し付け力は増加させることができる。しかしながら、細かな汚れにたいする洗浄力及び、ブラシ片に付着した汚れや洗浄水のブラシ片からの剥離性は、劣化してしまう。その為、細かな汚れにたいする高い洗浄力を有し、ブラシ片に付着した汚れや洗浄水の、ブラシ片からの剥離性が劣化することなく、迅速かつ的確に被洗浄面の汚れを洗浄することができる洗浄ブラシが求められていた。
【０００５】
【課題を解決するための手段】
本発明は、次のように構成したものである。
（１）回転軸の外周部に複数のブラシ片が形成されてある自動車用あるいは路面用洗浄ブラシにおいて、前記ブラシ片の材質は、天然樹脂発泡体、合成樹脂発泡体、天然ゴム、合成ゴム、ゲル材、フィルム材、メッシュ材、あるいはボア材より形成されてあると共に、前記ブラシ片は、複数の貫通穴が形成されてあるものである。
【０００６】
【発明の実施の形態】
図３及び図４に実施の形態を示す。図３は本発明の洗浄ブラシを前面側から見た斜視図である。図３において、１１は洗浄ブラシ、１２は回転軸、１３はブラシ片、１５、１６は貫通穴、１７は端部、１８は止め金具、１９は溝部である。図４は図３の洗浄ブラシに使用するブラシ片を前面側から見た斜視図である。
【０００７】
本発明の洗浄ブラシは、図３の如く、回転軸１２、ブラシ片１３、及び止め金具１８より形成されてある。回転軸１２は、金属製の概円筒形状であり、外周には、回転軸１２の長手方向にたいして平行になるよう、円周等分４箇所に溝部１９が形成されてある。また、ブラシ片１３は、２枚重ねにした後、中央部を折り込んで形成されてあり、止め金具１８を装着後、溝部１９にたいして、円周等分４箇所に形成されるよう装着されてある。ブラシ片１３の材質には、合成樹脂発泡体が使用されてある。
【０００８】
ブラシ片１３は、図４の如く、端部１７から中央部に向かって、複数の貫通穴１５が形成されてあり、前記貫通穴１５の下部には、貫通穴１５よりも直径の大きな複数の貫通穴１６が形成されてある。
【０００９】
本発明の実施の形態の洗浄ブラシは、上記の如くの構成となっているので、洗浄ブラシの使用時においては、ブラシ片１３に形成されてある貫通穴１５、１６が、被洗浄面の汚れを剥ぎ取ると共に、ブラシ片１３に付着した汚れや洗浄水の一部が、貫通穴１５、１６を通って、ブラシ片１３から剥離される。その為、汚れや洗浄水が、ブラシ片１３の表面に滞ることがなく、被洗浄面にたいするブラシ片１３の摩擦力を少なくすることができ、合成樹脂発泡体の有する性質である耐候性、耐摩耗性の高さを生かしつつ、被洗浄面の汚れを、迅速かつ適切に洗浄することができる。また、端部１７から中央部に向かって、複数の貫通穴１５が形成されてあり、前記貫通穴１５の下部には、貫通穴１５よりも直径の大きな複数の貫通穴１６が形成されてある為、洗浄ブラシ１１の外周部は、腰が強く、かつ高い洗浄力を発揮でき、洗浄ブラシ１１の中心部は、汚れや洗浄水を、外周部に比べて、より多く剥離できる。
【００１０】
本発明の実施の形態の洗浄ブラシは、上記の如くの構成となっているが、ブラシ片に使用する材質や挟み込む構造、ブラシ片の形状、貫通穴の形状、直径、配置状態等については、目的とする被洗浄面の状態に応じて、例えば、ブラシ片の端部から中央部に向かって、次第に直径が大きくなるように、貫通穴を形成したり、ブラシ片の端部から中央部に向かって、次第に直径が小さくなるように、貫通穴を形成したり、数種類の直径の貫通穴を、交互に配列して形成しても、何ら支障は無い。
【００１１】
次に、図５及び図６に実施の形態の他の実施例を示す。図５は本発明の他の実施例の洗浄ブラシを前面側から見た斜視図である。図５において、２１は洗浄ブラシ、２２は回転軸、２３、２４はブラシ片、２７は端部、２８は止め金具、２９は溝部、３０はスリット、３１は円孔である。図６は図５の洗浄ブラシに使用するブラシ片を前面側から見た斜視図である。図６において、２５、２６は貫通穴である。
【００１２】
本発明の他の実施例の洗浄ブラシは、図５の如く、回転軸２２、ブラシ片２３、２４、及び止め金具２８より形成されてある。回転軸２２は、金属製の概円筒形状であり、外周には、回転軸２２の長手方向にたいして平行になるよう、円周等分４箇所に溝部２９が形成されてある。また、ブラシ片２３、２４は、ブラシ片２４が外側になるように、２枚重ねにした後、中央部を折り込んで形成されてあり、止め金具２８を装着後、溝部２９にたいして、円周等分４箇所に形成されるよう装着されてある。ブラシ片２３、２４の材質には、合成樹脂発泡体が使用されてある。また、ブラシ片２４は、複数のスリット３０が、段差状になるように、形成されてあり、スリット３０の一端には、円孔３１が形成されてある。
【００１３】
ブラシ片２３は、図６の如く、端部２７から中央部に向かって、複数の貫通穴２５が形成されてあり、前記貫通穴２５の下部には、貫通穴２５よりも直径の大きな複数の貫通穴２６が形成されてある。
【００１４】
本発明の実施の形態の他の実施例の洗浄ブラシは、上記の如くの構成となっているので、洗浄ブラシの使用時においては、外側に形成されたブラシ片２４が有する複数のスリット３０が、被洗浄面の汚れを洗浄すると共に、ブラシ片２３が被洗浄面に接触し、貫通穴２５、２６が被洗浄面の汚れを剥ぎ取る。その時、ブラシ片２３に付着した汚れや洗浄水の一部が、貫通穴２５、２６を通って、ブラシ片２３から剥離される。その為、スリット３０が、被洗浄面の汚れを洗浄すると共に、汚れや洗浄水が、ブラシ片２３の表面に滞ることがなく、被洗浄面にたいして、ブラシ片２４の腰を強くすることができ、かつブラシ片２３の摩擦力を少なくすることができ、被洗浄面の汚れを、迅速かつ適切に洗浄することができる。
【００１５】
本発明の実施の形態の他の実施例の洗浄ブラシは、上記の如くの構成となっているが、ブラシ片に使用する材質や挟み込む構造、ブラシ片の形状、貫通穴の形状、直径、配置状態等については、目的とする被洗浄面の状態に応じて、例えば、複数のスリット３０を有するブラシ片２４に、所定の直径の貫通穴を複数、形成しても、何ら支障は無い。
【００１６】
【発明の効果】
本発明の実施の形態の洗浄ブラシは、上記の如くの構成となっているので、洗浄ブラシの使用時において、ブラシ片に形成されてある貫通穴が、被洗浄面の汚れを剥ぎ取ると共に、ブラシ片に付着した汚れや洗浄水の一部が、貫通穴を通って、ブラシ片から剥離される。その為、汚れや洗浄水が、ブラシ片の表面に滞ることがなく、被洗浄面にたいするブラシ片の摩擦力を少なくすることができ、合成樹脂発泡体の有する性質である耐候性、耐摩耗性の高さを生かしつつ、被洗浄面の汚れを、迅速かつ適切に洗浄することができる。また、端部から中央部に向かって、複数の貫通穴が形成されてあり、前記貫通穴の下部には、貫通穴よりも直径の大きな複数の貫通穴が形成されてある為、洗浄ブラシの外周部は、腰が強く、かつ高い洗浄力を発揮でき、洗浄ブラシの中心部は、汚れや洗浄水を、外周部に比べて、より多く剥離できる。
【００１７】
また、本発明の実施の形態の他の実施例の洗浄ブラシの如く、複数のスリットを有するブラシ片が外側に形成されてあると共に、複数の貫通穴を有するブラシ片が内側に形成されるよう、２枚重ねにした後、中央部を折り込んで形成されてある場合には、洗浄ブラシの使用時において、外側に形成されたブラシ片が有する複数のスリットが、被洗浄面の汚れを洗浄すると共に、内側に形成されたブラシ片が被洗浄面に接触し、貫通穴が、被洗浄面の汚れを剥ぎ取る。その時、ブラシ片に付着した汚れや洗浄水の一部が、貫通穴を通って、ブラシ片から剥離される。その為、スリットが、被洗浄面の汚れを洗浄すると共に、汚れや洗浄水が、ブラシ片の表面に滞ることがなく、被洗浄面にたいして、ブラシ片の腰を強くすることができ、かつブラシ片の摩擦力を少なくすることができ、被洗浄面の汚れを、迅速かつ適切に洗浄することができる。
【図面の簡単な説明】
【図１】従来の洗浄ブラシの一例を示す斜視図である。
【図２】図１に使用するブラシを示す正面図である。
【図３】本発明の実施の形態の洗浄ブラシを前面側から見た斜視図である。
【図４】図３に使用するブラシ片を前面側から見た斜視図である。
【図５】本発明の実施の形態の他の実施例の洗浄ブラシを前面側から見た斜視図である。
【図６】図５に使用するブラシ片を前面側から見た斜視図である。
【符号の説明】
１　自動洗車ブラシ　２、１２、２２　回転軸
３、１３、２３、２４　ブラシ片　４　支持体　５、３０　スリット
６、３１　円孔　８　固定ピン　１１、２１　洗浄ブラシ
１５、１６、２５、２６　貫通穴　１７、２７　端面
１８、２８　止め金具　１９、２９　溝部
【図１】
2004113753.tif 000003
【図２】
2004113753.tif 000004
【図３】
2004113753.tif 000005
【図４】
2004113753.tif 000006
【図５】
2004113753.tif 000007
【図６】
2004113753.tif 000008